(57)【要約】【課題】安全性を確保しつつイオンの吐出を良好に行う。【解決手段】吸入口１１から吐出口１２に至る空気流路中に回転駆動されるファン２１及び加熱手段を配し、上記空気流路から分岐してイオン吹き出し口１３に至る流路中に放電電極５１と対向電極５２とを備えるイオン発生手段５を配したものにおいて、イオン吹き出し口にイオンを通過させるための開口を備えたカバー６が配されて、該カバーの背面に設けた突部が上記放電電極よりもカバー側に位置する対向電極に接触し、カバーが対向電極を介して接地されている。カバーが接地されているために、イオンの吹き出しを制限してしまうことがない。【選択図】図１
2008029813.tif 000002
【特許請求の範囲】
【請求項１】
吸入口から吐出口に至る空気流路中に回転駆動されるファン及び加熱手段を配しているとともに、上記空気流路から分岐してイオン吹き出し口に至る流路中に放電電極と対向電極とを備えるイオン発生手段を配している加熱送風装置において、上記イオン吹き出し口にイオンを通過させるための開口を備えたカバーが配されているとともに、該カバーの背面に設けた突部が上記イオン発生手段における放電電極よりもカバー側に位置する対向電極に接触して、上記カバーが対向電極を介して接地されていることを特徴とする加熱送風装置。
【請求項２】
イオン発生手段をカバーの突部側に向けて付勢する付勢手段を備えていることを特徴とする請求項１記載の加熱送風装置。
【請求項３】
イオン吹き出し口よりも前方に上記吐出口が位置しているとともに上記カバーは上記吐出口の外周も覆っていることを特徴とする請求項１または２記載の加熱送風装置。
【請求項４】
上記カバーは吐出口外周におけるイオン吹き出し口側の面のみを覆うものであることを特徴とする請求項３記載の加熱送風装置。
【請求項５】
吸入口から吐出口に至る空気流路を覆う本体ハウジングの外面に上記カバーが被せられていることを特徴とする請求項３または４記載の加熱送風装置。
【発明の詳細な説明】
【技術分野】
【０００１】
本発明は、ヘアドライヤーや温風送風機のような加熱送風装置に関するものである。
【背景技術】
【０００２】
ヘアドライヤーや温風送風機といった加熱送風装置においては、回転駆動するファンによって吸入口から吸い込んだ空気を吐出口に向けて送り出すにあたり、内部の空気流路中に加熱手段を配して、加熱手段で加熱した空気が吐出口から吐出されるようにしている。
【０００３】
このような加熱装置において、マイナスイオン発生のためのイオン発生部を付加したものでは、上記吐出口に配されている格子状部材によるイオン通過量の制限を避けるために、吸入口から吐出口に至る空気流路の途中から上記加熱手段を経ることなく外部に吐出されることになるバイパス流路を設けて、このバイパス流路中にイオン発生部を配置している（特許文献１参照）。
【０００４】
しかし、イオン発生部は電気的に高圧な部分が存在するために、発生させたマイナスイオンが吐出されるイオン吹き出し口には、外部からイオン発生部側に手指が入らないようにするためのカバーを配さなくてはならないのであるが、イオンを通過させるための開口部を設けているとはいえ、絶縁物からなる上記カバーは、イオン発生部で発生させたイオンによって帯電してしまい、これが原因でイオン通過量を少なくしてしまうという事態を招くものとなっている。
【特許文献１】特開２００２−１９１４２６号公報
【発明の開示】
【発明が解決しようとする課題】
【０００５】
本発明は上記の従来の問題点に鑑みて発明したものであって、安全性を確保しつつイオンの吐出を良好に行うことができる加熱送風装置を提供することを課題とするものである。
【課題を解決するための手段】
【０００６】
上記課題を解決するために本発明に係る加熱送風装置は、吸入口から吐出口に至る空気流路中に回転駆動されるファン及び加熱手段を配しているとともに、上記空気流路から分岐してイオン吹き出し口に至る流路中に放電電極と対向電極とを備えるイオン発生手段を配している加熱送風装置において、上記イオン吹き出し口にイオンを通過させるための開口を備えたカバーが配されているとともに、該カバーの背面に設けた突部が上記イオン発生手段における放電電極よりもカバー側に位置する対向電極に接触して、上記カバーが対向電極を介して接地されていることに特徴を有している。イオン吹き出し口に設けたカバーを接地しているために、イオンの吹き出しを制限してしまうことがないものである。
【０００７】
そして、イオン発生手段をカバーの突部側に向けて付勢する付勢手段を備えていると、より安定した接地状態を得ることができる。
【０００８】
イオン吹き出し口よりも前方に上記吐出口が位置しているものでは、上記カバーが上記吐出口の外周も覆っていることが好ましい。吐出口の外周部がイオンで帯電してしまうことがないために、イオンの吹き出しの制限を更に無くすことができる。
【０００９】
この時、上記カバーは吐出口外周におけるイオン吹き出し口側の面のみを覆うものであってもよい。また、吸入口から吐出口に至る空気流路を覆う本体ハウジングの外面に上記カバーが被せられているものであってもよい。
【発明の効果】
【００１０】
本発明によれば、カバーの存在によって安全性を確保することができるものであり、しかもカバーが帯電してイオンの吹き出しを制限してしまうようなことがなくて、多くのイオンを吐出することができるものであり、また、イオン発生手段における対向電極を利用して接地しているために、別途接地用の線を引き回す必要がないものである。
【発明を実施するための最良の形態】
【００１１】
以下、本発明を添付図面に示す実施形態に基いて説明すると、図１〜図３は本発明にかかるヘアドライヤーを示しており、後端面が吸入口１１、前端面が吐出口１２となっている筒状の本体ハウジング３は、その後端側の下面にグリップ部１が連結されている。
【００１２】
上記本体ハウジング３はその後部内にモータ２０とファン２１とを内部に位置させた風洞２を備えており、前部内にも風洞４を備えている。ヒータ（図示せず）が内部に配される風洞４は、本体ハウジング３の内面との間に環状の空気流路を確保した状態で本体ハウジング３内にセットされるもので、前記風洞２と一体のものとして形成されており、上記ファン２１からの風は、主として風洞４内を通って吐出口１２に向かうが、その他にハウジング３内周面と風洞４外周面との間の流路を通って吐出口１２に向かうものも生じるようになっている。これは上記ヒータで加熱した温風を囲むようにヒータ部分を通過しない冷風も吐出口１２から吐出することで、毛髪が加熱されすぎることがないようにするためである。図中４４は風洞４の前部内にあって手指がヒータに触れてしまうことを防ぐための格子である。
【００１３】
そして本体ハウジング３の上面側にはイオン発生手段５を配置してある。ここで示しているイオン発生手段５は、針状の放電電極５１及びリング状の対向電極５２に加えて、放電電極５０を冷却することで空気中の水分を放電電極５１上に結露させる冷却手段５３と、ペルチェ素子からなる上記冷却手段５３から発生する熱を放熱するための放熱部５４とからなる静電霧化機能を備えたもので、上記放電電極５１は高電圧発生手段（図示せず）に接続され、対向電極５２は接地されている。
【００１４】
冷却手段５３で冷却される放電電極５１に高電圧発生手段からの負の高電圧を印加する時、結露によって放電電極５１上に生じた水は、放電電極５１と対向電極５２との間での放電に際して、レイリー分裂を起こしてマイナスに帯電した微細粒子水となり、本体ハウジング３の上部前面に形成されたイオン吹き出し口１３より外部に放出される。なお、ファン２１による風の一部はイオン発生手段５を配した空間にも流れ込んで放熱部５４を冷却するとともに、更にその一部はイオン吹き出し口１３から出ていくために、イオン（帯電微粒子水）はこの風に乗って出て行く。
【００１５】
ここにおいて、上記イオン吹き出し口１３には手指が内部に入ることを防ぐカバー６が配設されている。図２にも示すようにイオン（帯電微粒子）を通過させるための開口を備えたカバー６は、絶縁材で形成されているとともに、背方側、つまりはイオン発生手段５側に向けて突出する複数個の突部６０を一体に備えている。これら突部６０はイオン発生手段５における前記対向電極５２の前面側に接触しており、このためにカバー６は対向電極５２を介して接地されている。
【００１６】
従ってイオン発生手段５を作動させてイオン（帯電微粒子水）を発生させてカバー６における前記開口を経てイオン吹き出し口１３から吐出させている時、カバー６が帯電してしまってイオンの吹き出しを阻害してしまうということがないものである。
【００１７】
なお、リング状で中央に円形の開口を有している対向電極５２は、その内周縁が放電電極５２との間で放電が生じる部分となっている。そしてカバー６における上記複数の突部６０は、対向電極５２における上記内周縁に近い部分に周方向において等間隔で接するように設けられているとともに、カバー６における上記開口の縁に近い部分に設けられて、カバー６の上記開口を通過するイオンに対し、電気的影響をより与えることがないようにされている。
【００１８】
ところで、突部６０と放電電極５２との接触状態を安定させるために、ここではイオン発生手段５をカバー６側に付勢した状態で取り付けている。すなわち、図４に示すように、イオン発生手段５は風洞４の外面に取り付けているのであるが、ここでは取り付け板５５を介して風洞４に取り付けているとともに、風洞４の外面に一体に形成したリブ４５の先端部で上記取り付け板５５を受ける際に、取り付け板５５の後方への移動をリブ４５が阻止しているとともに、カバー６及びイオン発生手段５を組み付けた時、取り付け板４５を前方側に押してリブ４５の撓み及び取り付け板５５の撓みによる前方への付勢力が放電電極５２とカバー６の突部６０との間に作用して、放電電極５２と突部６０との間の接触圧を高めるものとなっている。
【００１９】
図５に他例を示す。これは放電電極５１と対向電極５２と高電圧発生手段とからなるとともに静電霧化機能を持たないイオン発生手段５を設けたもので、カバー６背面の突部６０を対向電極５２に接触させることで対向電極５２を通じてカバー６の接地を行っている点では前記実施例と同じである。
【００２０】
図６以下に別の実施例を示す。基本的構成は上述のものと同じであるが、ここではカバー６をイオン吹き出し口１３の前方部分に位置するだけのものではなく、イオン吹き出し口１３の周辺からイオン吹き出し口１３よりも前方側に位置している吐出口１２の外周部まで覆う部材として形成しているとともに、吐出口１２の外周を覆う部分については吐出口１２の全周を覆う筒状部６２としてある。また、カバー６の上記筒状部６２は、左右二つ割りで形成されている本体ハウジング３の先端部に被せられることで、二つ割りの本体ハウジング１の結合を行う上に、本体ハウジング３に更にカバー６が重なっていることから、物理的強度の向上なども得られるものとなっている。図中４５は吹き出し口１３に配したノズルであり、該ノズル４５は２つのノズル口によって吐出口１２を出ていく風を２つの流れに分けた状態で吐出する。
【００２１】
前記実施例のものと同様に対向電極５２との接触で接地されたものとなっているカバー６は、イオン吹き出し口１３に加えて、イオン吹き出し口１３よりも前方側に位置する吐出口１２の外周部も覆うものとなっているために、イオン吹き出し口１３から出るイオンによって帯電するものがイオンの吐出方向において存在しなくなるものであり、このためにイオンの吐出をより有効に行うことができる。
【００２２】
ここではカバー６が吐出口１２の外周の全周を覆うものを示したが、吐出口１２の外周のうち、イオン吹き出し口１３がある上面側のみを覆うものであってもよい。また、カバー６における筒状部６２が二つ割りで構成している本体ハウジング３の先端部の外周に被さることで、カバー６が二つ割りの本体ハウジング３の結合にも寄与しているものを示したが、この構成に限定されるものではない。
【図面の簡単な説明】
【００２３】
【図１】本発明の実施の形態の一例の要部断面図である。
【図２】同上の正面図である。
【図３】同上の側面図である。
【図４】同上の風洞とイオン発生手段の斜視図である。
【図５】他例の部分断面図である。
【図６】別の例の斜視図である。
【図７】同上の分解斜視図である。
【図８】同上の断面図である。
【図９】同様の部分断面図である。
【符号の説明】
【００２４】
３  本体ハウジング
４  風洞
５  イオン発生手段
６  カバー
１３  イオン吹き出し口
５１  放電電極  
５２  対向電極
６０  突部
【図１】
2008029813.tif 000003
【図２】
2008029813.tif 000004
【図３】
2008029813.tif 000005
【図４】
2008029813.tif 000006
【図５】
2008029813.tif 000007
【図６】
2008029813.tif 000008
【図７】
2008029813.tif 000009
【図８】
2008029813.tif 000010
【図９】
2008029813.tif 000011